(57)【要約】  本開示は、物理ランダムアクセスチャネルの電力制御方法及び端末を提供し、該方法は、同期放送信号ブロックに関する電力情報に基づいて、物理ランダムアクセスチャネル（ＰＲＡＣＨ）のパスロスを計算することと、パスロスに基づいて物理ランダムアクセスチャネル（ＰＲＡＣＨ）の伝送電力を計算することと、を含む。【選択図】  図２
2021530175.tif 000002
【特許請求の範囲】
【請求項１】
端末に適用される物理ランダムアクセスチャネルの電力制御方法であって、
同期放送信号ブロックに関する電力情報に基づいて、物理ランダムアクセスチャネル（ＰＲＡＣＨ）のパスロスを計算することと、
前記パスロスに基づいて、物理ランダムアクセスチャネル（ＰＲＡＣＨ）の伝送電力を計算することと、を含む、物理ランダムアクセスチャネルの電力制御方法。
【請求項２】
前記物理ランダムアクセスチャネル（ＰＲＡＣＨ）が非競合的である場合、同期放送信号ブロックに関する電力情報に基づいて、物理ランダムアクセスチャネル（ＰＲＡＣＨ）のパスロスを計算することは、
ネットワーク装置により設定された前記同期放送信号ブロックの送信電力に基づいて、前記物理ランダムアクセスチャネル（ＰＲＡＣＨ）の前記パスロスを計算することと、
チャネル状態情報参照信号（ＣＳＩ−ＲＳ）と前記同期放送信号ブロックとの間の電力オフセット量、及び前記同期放送信号ブロックの送信電力に基づいて、前記物理ランダムアクセスチャネル（ＰＲＡＣＨ）の前記パスロスを計算することと、のうちの少なくとも１つを含み、電力オフセット量は、ネットワーク装置により設定される請求項１に記載の物理ランダムアクセスチャネルの電力制御方法。
【請求項３】
前記物理ランダムアクセスチャネル（ＰＲＡＣＨ）が競合的である場合、同期放送信号ブロックに関する電力情報に基づいて、物理ランダムアクセスチャネル（ＰＲＡＣＨ）のパスロスを計算することは、
ネットワーク装置により設定された前記同期放送信号ブロックの送信電力に基づいて、前記物理ランダムアクセスチャネル（ＰＲＡＣＨ）の前記パスロスを計算することを含む、請求項１に記載の物理ランダムアクセスチャネルの電力制御方法。
【請求項４】
前記同期放送信号ブロックの送信電力に基づいて、前記物理ランダムアクセスチャネル（ＰＲＡＣＨ）の前記パスロスを計算することは、
前記物理ランダムアクセスチャネル（ＰＲＡＣＨ）が少なくとも１つの同期放送信号ブロックに対応する場合、又は、前記物理ランダムアクセスチャネル（ＰＲＡＣＨ）が少なくとも１つのチャネル状態情報参照信号（ＣＳＩ−ＲＳ）に対応し、かつ前記少なくとも１つのチャネル状態情報参照信号（ＣＳＩ−ＲＳ）には前記同期放送信号ブロックと疑似コロケーションである目標チャネル状態情報参照信号（ＣＳＩ−ＲＳ）が存在する場合に、前記同期放送信号ブロックの送信電力に基づいて、前記パスロスを計算することを含む、請求項２又は３に記載の物理ランダムアクセスチャネルの電力制御方法。
【請求項５】
前記同期放送信号ブロックの送信電力に基づいて、前記パスロスを計算することは、
前記物理ランダムアクセスチャネル（ＰＲＡＣＨ）が少なくとも１つの同期放送信号ブロックに対応する場合に、それぞれ、前記少なくとも１つの同期放送信号ブロックの送信電力に基づいて、少なくとも１つの第１候補パスロスを計算することと、
前記少なくとも１つの第１候補パスロスの平均値、最大値又は最小値を前記パスロスとして決定することと、を含む、請求項４に記載の物理ランダムアクセスチャネルの電力制御方法。
【請求項６】
前記同期放送信号ブロックの送信電力に基づいて、前記パスロスを計算することは、
前記物理ランダムアクセスチャネル（ＰＲＡＣＨ）が少なくとも１つのチャネル状態情報参照信号（ＣＳＩ−ＲＳ）に対応し、かつ前記少なくとも１つのチャネル状態情報参照信号（ＣＳＩ−ＲＳ）には前記目標チャネル状態情報参照信号（ＣＳＩ−ＲＳ）が存在する場合に、それぞれ、前記目標チャネル状態情報参照信号（ＣＳＩ−ＲＳ）と疑似コロケーションである同期放送信号ブロックの送信電力に基づいて、少なくとも１つの第２候補パスロスを計算することと、
前記少なくとも１つの第２候補パスロスの平均値、最大値又は最小値を前記パスロスとして決定することと、を含む、請求項４に記載の物理ランダムアクセスチャネルの電力制御方法。
【請求項７】
前記同期放送信号ブロックの送信電力に基づいて、前記物理ランダムアクセスチャネル（ＰＲＡＣＨ）の前記パスロスを計算することは、
前記同期放送信号ブロックの送信電力と上位層フィルタリング参照信号受信電力との差を前記パスロスとして決定することを含み、ここで、前記上位層フィルタリング参照信号受信電力は、前記同期放送信号ブロックの実際の受信電力である請求項２又は３に記載の物理ランダムアクセスチャネルの電力制御方法。
【請求項８】
チャネル状態情報参照信号（ＣＳＩ−ＲＳ）と前記同期放送信号ブロックとの間の電力オフセット量、及び前記同期放送信号ブロックの送信電力に基づいて、前記物理ランダムアクセスチャネル（ＰＲＡＣＨ）の前記パスロスを計算することは、
前記物理ランダムアクセスチャネル（ＰＲＡＣＨ）が少なくとも１つのチャネル状態情報参照信号（ＣＳＩ−ＲＳ）に対応する場合、又は、前記物理ランダムアクセスチャネル（ＰＲＡＣＨ）が少なくとも１つの同期放送信号ブロックに対応し、かつ前記少なくとも１つの同期放送信号ブロックには前記チャネル状態情報参照信号（ＣＳＩ−ＲＳ）と疑似コロケーションである目標同期放送信号ブロックが存在する場合に、前記チャネル状態情報参照信号（ＣＳＩ−ＲＳ）と前記同期放送信号ブロックとの間の電力オフセット量、及び前記同期放送信号ブロックの送信電力に基づいて、前記パスロスを計算することを含む、請求項２に記載の物理ランダムアクセスチャネルの電力制御方法。
【請求項９】
前記チャネル状態情報参照信号（ＣＳＩ−ＲＳ）と前記同期放送信号ブロックとの間の電力オフセット量、及び前記同期放送信号ブロックの送信電力に基づいて、前記パスロスを計算することは、
前記物理ランダムアクセスチャネル（ＰＲＡＣＨ）が少なくとも１つのチャネル状態情報参照信号（ＣＳＩ−ＲＳ）に対応する場合に、それぞれ、前記少なくとも１つのチャネル状態情報参照信号（ＣＳＩ−ＲＳ）と前記同期放送信号ブロックとの間の少なくとも１つの電力オフセット量、及び前記同期放送信号ブロックの送信電力に基づいて、少なくとも１つの第３候補パスロスを計算することと、
前記少なくとも１つの第３候補パスロスの平均値、最大値又は最小値を前記パスロスとして決定することと、を含む、請求項８に記載の物理ランダムアクセスチャネルの電力制御方法。
【請求項１０】
前記チャネル状態情報参照信号（ＣＳＩ−ＲＳ）と前記同期放送信号ブロックとの間の電力オフセット量、及び前記同期放送信号ブロックの送信電力に基づいて、前記パスロスを計算することは、
前記物理ランダムアクセスチャネル（ＰＲＡＣＨ）が少なくとも１つの同期放送信号ブロックに対応し、かつ前記少なくとも１つの同期放送信号ブロックには前記目標同期放送信号ブロックが存在する場合に、それぞれ、前記チャネル状態情報参照信号（ＣＳＩ−ＲＳ）と前記目標同期放送信号ブロックとの間の電力オフセット量、及び前記目標同期放送信号ブロックの送信電力に基づいて、少なくとも１つの第４候補パスロスを計算することと、
前記少なくとも１つの第４候補パスロスの平均値、最大値又は最小値を前記パスロスとして決定することと、を含む、請求項８に記載の物理ランダムアクセスチャネルの電力制御方法。
【請求項１１】
前記同期放送信号ブロックとチャネル状態情報参照信号（ＣＳＩ−ＲＳ）との間の電力オフセット量、及び前記同期放送信号ブロックの送信電力に基づいて、前記物理ランダムアクセスチャネル（ＰＲＡＣＨ）の前記パスロスを計算することは、
前記同期放送信号ブロックの送信電力と前記電力オフセット量との和、又は前記同期放送信号ブロックの送信電力と前記電力オフセット量との差を参照信号送信電力として決定することと、
前記参照信号送信電力と上位層フィルタリング参照信号受信電力との差を前記パスロスとして決定することと、を含む、請求項２又は８に記載の物理ランダムアクセスチャネルの電力制御方法。
【請求項１２】
前記同期放送信号ブロックは、プライマリ同期信号及びセカンダリ同期信号のうちの少なくとも１つを含む同期信号と、物理放送チャネルとのうちの少なくとも１つを含む、請求項１〜３のいずれか１項に記載の物理ランダムアクセスチャネルの電力制御方法。
【請求項１３】
前記物理ランダムアクセスチャネル（ＰＲＡＣＨ）は、
初期アクセスプロセスと、
リンクリカバリプロセスと、
ハンドオーバプロセスと、
ビーム管理プロセスとのうちの１つに用いられる、請求項１〜３のいずれか１項に記載の物理ランダムアクセスチャネルの電力制御方法。
【請求項１４】
同期放送信号ブロックに関する電力情報に基づいて、物理ランダムアクセスチャネル（ＰＲＡＣＨ）のパスロスを計算する第１計算モジュールと、
前記パスロスに基づいて物理ランダムアクセスチャネル（ＰＲＡＣＨ）の伝送電力を計算する第２計算モジュールと、を含む、端末。
【請求項１５】
前記物理ランダムアクセスチャネル（ＰＲＡＣＨ）が非競合的である場合、前記第１計算モジュールは、
ネットワーク装置により設定された前記同期放送信号ブロックの送信電力に基づいて、前記物理ランダムアクセスチャネル（ＰＲＡＣＨ）の前記パスロスを計算する第１計算サブモジュールと、
チャネル状態情報参照信号（ＣＳＩ−ＲＳ）と前記同期放送信号ブロックとの間の電力オフセット量、及び前記同期放送信号ブロックの送信電力に基づいて、前記物理ランダムアクセスチャネル（ＰＲＡＣＨ）の前記パスロスを計算する第２計算サブモジュールと、のうちの少なくとも１つを含み、前記電力オフセット量が、ネットワーク装置により設定される請求項１４に記載の端末。
【請求項１６】
前記物理ランダムアクセスチャネル（ＰＲＡＣＨ）が競合的である場合、前記第１計算モジュールは、
前記同期放送信号ブロックの送信電力に基づいて、前記物理ランダムアクセスチャネル（ＰＲＡＣＨ）の前記パスロスを計算する第３計算サブモジュールをさらに含む、請求項１４に記載の端末。
【請求項１７】
第１計算サブモジュールは、具体的には、
前記物理ランダムアクセスチャネル（ＰＲＡＣＨ）が少なくとも１つの同期放送信号ブロックに対応する場合、又は、前記物理ランダムアクセスチャネル（ＰＲＡＣＨ）が少なくとも１つのチャネル状態情報参照信号（ＣＳＩ−ＲＳ）に対応し、かつ前記少なくとも１つのチャネル状態情報参照信号（ＣＳＩ−ＲＳ）には前記同期放送信号ブロックと疑似コロケーションである目標チャネル状態情報参照信号（ＣＳＩ−ＲＳ）が存在する場合に、前記同期放送信号ブロックの送信電力に基づいて、前記パスロスを計算する、請求項１５に記載の端末。
【請求項１８】
第１計算サブモジュールは、具体的には、
前記同期放送信号ブロックの送信電力と上位層フィルタリング参照信号受信電力との差を前記パスロスとして決定し、ここで、前記上位層フィルタリング参照信号受信電力は、前記同期放送信号ブロックの実際の受信電力である請求項１５に記載の端末。
【請求項１９】
第２計算サブモジュールは、具体的には、
前記物理ランダムアクセスチャネル（ＰＲＡＣＨ）が少なくとも１つのチャネル状態情報参照信号（ＣＳＩ−ＲＳ）に対応する場合、又は、前記物理ランダムアクセスチャネル（ＰＲＡＣＨ）が少なくとも１つの同期放送信号ブロックに対応し、かつ前記少なくとも１つの同期放送信号ブロックには前記チャネル状態情報参照信号（ＣＳＩ−ＲＳ）と疑似コロケーションである目標同期放送信号ブロックが存在する場合に、前記チャネル状態情報参照信号（ＣＳＩ−ＲＳ）と前記同期放送信号ブロックとの間の電力オフセット量、及び前記同期放送信号ブロックの送信電力に基づいて、前記パスロスを計算する、請求項１５に記載の端末。
【請求項２０】
第２計算サブモジュールは、具体的には、
前記同期放送信号ブロックの送信電力と前記電力オフセット量との和、又は前記同期放送信号ブロックの送信電力と前記電力オフセット量との差を参照信号送信電力として決定し、
前記参照信号送信電力と上位層フィルタリング参照信号受信電力との差を前記パスロスとして決定する、請求項１５に記載の端末。
【請求項２１】
前記同期放送信号ブロックは、プライマリ同期信号及びセカンダリ同期信号のうちの少なくとも１つを含む同期信号と、物理放送チャネルとのうちの少なくとも１つを含む、請求項１４〜１６のいずれか１項に記載の端末。
【請求項２２】
前記物理ランダムアクセスチャネル（ＰＲＡＣＨ）は、
初期アクセスプロセスと、
リンクリカバリプロセスと、
ハンドオーバプロセスと、
ビーム管理プロセスとのうちの１つに用いられる、請求項１４〜１６のいずれか１項に記載の端末。
【請求項２３】
プロセッサと、メモリと、前記メモリ上に記憶されて前記プロセッサ上で実行され、前記プロセッサによって実行されると、請求項１〜１３のいずれか１項に記載の物理ランダムアクセスチャネルの電力制御方法を実現するコンピュータプログラムとを含む、端末。
【請求項２４】
プロセッサによって実行されると、請求項１〜１３のいずれか１項に記載の物理ランダムアクセスチャネルの電力制御方法を実現するコンピュータプログラムが記憶されているコンピュータ可読記憶媒体。
【発明の詳細な説明】
【技術分野】
【０００１】
（関連出願の相互参照）
本願は、２０１８年７月２０日に提出された中国特許出願第２０１８１０８０４５８５．０号の優先権を主張するものであり、その全ての内容は参照により本願に組み込まれるものとする。
本開示は、通信の技術分野に関し、特に物理ランダムアクセスチャネルの電力制御方法及び端末に関する。
【背景技術】
【０００２】
新たな無線技術（Ｎｅｗ  Ｒａｄｉｏ、ＮＲ）システムとも呼ばれる第５世代（５ｔｈＧｅｎｅｒａｔｉｏｎ、５Ｇ）移動通信システムでは、サポートする動作周波数帯域は６ＧＨｚ以上に上昇し、最大で約１００ＧＨｚに達する。高周波数帯域は、豊富な空き周波数リソースを備え、データ伝送に、より大きなスループットを提供することができる。下りリンク伝送速度が２０Ｇｂｐｓであり、上りリンク伝送速度が１０Ｇｂｐｓであるという目標を達成するために、高周波アンテナと、より大規模な、アンテナポートのより多い多入力多出力（Ｍｕｌｔｉｐｌｅ  Ｉｎｐｕｔ  Ｍｕｌｔｉｐｌｅ  Ｏｕｔｐｕｔ、ＭＩＭＯ）技術とが導入されることになる。高周波信号の波長が短く、低周波数帯域に比べて、より多くのアンテナアレイエレメントを同じ大きさのパネルに配置し、ビームフォーミング技術を利用して、指向性がより高く、ローブがより狭いビームを形成することができ、大規模な（Ｍａｓｓｉｖｅ）ＭＩＭＯ技術は、大規模なアンテナアレイを使用し、システムの周波数帯域利用効率を大幅に向上させ、より多くのアクセスユーザをサポートすることができる。
【０００３】
高周波数帯域の通信システムでは、無線信号の波長が短いため、信号伝搬が遮断されるなどの状況が発生しやすく、信号伝搬が中断されることをもたらす。関連技術における無線リンクの再確立を採用すると、長時間がかかるため、ビーム失敗リカバリ（Ｂｅａｍ  Ｆａｉｌｕｒｅ  Ｒｅｃｏｖｅｒｙ、ＢＦＲ）メカニズムなどのリンクリカバリメカニズムが導入され、ビーム失敗が発生した後、端末は、ビーム失敗リカバリ要求をネットワーク装置側に送信する。端末の上位層は、ＢＦＲの候補ビームに基づいて、ビーム失敗リカバリ要求を送信する物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）リソースを決定する。システムのＰＲＡＣＨリソースには、上記ビーム失敗リカバリのためのリソースの他に、他のプロセスのためのリソースが含まれる。ＰＲＡＣＨの電力は、端末の最大送信電力、目標受信電力及びパスロスなどのパラメータに基づいて決定することができ、パスロスは、参照信号の送信電力によって決定されるが、いくつかの参照信号の送信電力が決定できない場合、端末は、ＰＲＡＣＨのパスロスを計算することができず、ＰＲＡＣＨの送信電力を決定できないことなる。
【発明の概要】
【発明が解決しようとする課題】
【０００４】
本開示のいくつかの実施例は、いくつかの参照信号の送信電力が決定できない場合に端末がＰＲＡＣＨの送信電力を計算できないという問題を解決するために、物理ランダムアクセスチャネルの電力制御方法及び端末を提供する。
【課題を解決するための手段】
【０００５】
第１の態様では、本開示のいくつかの実施例に係る、端末に適用される物理ランダムアクセスチャネルの電力制御方法は、
同期放送信号ブロックに関する電力情報に基づいて、物理ランダムアクセスチャネルＰＲＡＣＨのパスロスを計算することと、
パスロスに基づいてＰＲＡＣＨの伝送電力を計算することと、を含む。
【０００６】
第２の態様では、本開示のいくつかの実施例に係る端末は、
同期放送信号ブロックに関する電力情報に基づいて、物理ランダムアクセスチャネルＰＲＡＣＨのパスロスを計算する第１計算モジュールと、
パスロスに基づいてＰＲＡＣＨの伝送電力を計算する第２計算モジュールとを含む。
【０００７】
第３の態様では、本開示のいくつかの実施例に係る端末は、プロセッサと、メモリと、メモリ上に記憶されてプロセッサ上で実行され、プロセッサによって実行されると、上記物理ランダムアクセスチャネルの電力制御方法を実現するコンピュータプログラムとを含む。
【０００８】
第４の態様では、本開示のいくつかの実施例に係るコンピュータ可読記憶媒体には、プロセッサにより実行されると、上記物理ランダムアクセスチャネルの電力制御方法を実現するコンピュータプログラムが記憶されている。
【発明の効果】
【０００９】
このように、本開示のいくつかの実施例に係る端末は、上記技術手段により、異なるシナリオにおいてパスロスを計算することにより、ＰＲＡＣＨの伝送電力を正確に計算することができ、このようにＰＲＡＣＨの正常な送信を保証し、伝送性能を向上させることができる。
【図面の簡単な説明】
【００１０】
本開示のいくつかの実施例の技術手段をより明確に説明するために、以下、本開示のいくつかの実施例の説明に必要な図面を簡単に説明し、明らかに、以下に説明される図面は、本開示のいくつかの実施例に過ぎず、当業者であれば、創造的な労働をすることなく、これらの図面に基づいて他の図面を得ることができる。
【００１１】
【図１】本開示のいくつかの実施例が適用可能な移動通信システムを示すブロック図である。
【図２】本開示のいくつかの実施例に係るＰＲＡＣＨの電力制御方法を示す概略流れ図である。
【図３】本開示のいくつかの実施例のシナリオ１におけるＰＲＡＣＨの電力制御方法を示す概略流れ図である。
【図４】本開示のいくつかの実施例のシナリオ２におけるＰＲＡＣＨの電力制御方法を示す概略流れ図である。
【図５】本開示のいくつかの実施例に係る端末のモジュール構成を示す概略図である。
【図６】本開示のいくつかの実施例に係る端末を示すブロック図である。
【発明を実施するための形態】
【００１２】
以下、図面を参照しながら本開示の例示的な実施例をより詳細に説明する。図面に本開示の例示的な実施例が示されるが、本開示は、様々な形態で実現することができ、ここに記載した実施例によって限定されないと理解すべきである。逆に、これらの実施例を提供するのは、本開示をより徹底的に理解させ、かつ本開示の範囲を完全に当業者に伝えるためである。
【００１３】
本願の明細書及び特許請求の範囲における用語「第１」、「第２」などは、類似した対象を区別するためのものであり、必ずしも特定の順序又は優先順位を説明するためのものではない。ここで説明した本願の実施例が、例えばここでの図示又は説明以外の順序でも実施できるように、このように使用されたデータは、適宜入れ替えてもよいと理解すべきである。また、用語「含む」、「備える」及びそれらのいかなる変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、製品又は装置に固有の、他のステップ又はユニットを含んでもよい。明細書及び特許請求の範囲における「及び／又は」は、接続対象の少なくとも１つを表す。
【００１４】
本明細書で説明される技術は、ロングタームエボリューション（Ｌｏｎｇ  Ｔｅｒｍ  Ｅｖｏｌｕｔｉｏｎ、ＬＴＥ）／ＬＴＥアドバンスト（ＬＴＥ−Ａｄｖａｎｃｅｄ、ＬＴＥ−Ａ）システムに限定されず、符号分割多元接続（Ｃｏｄｅ  Ｄｉｖｉｓｉｏｎ  Ｍｕｌｔｉｐｌｅ  Ａｃｃｅｓｓ、ＣＤＭＡ）、時分割多元接続（Ｔｉｍｅ  Ｄｉｖｉｓｉｏｎ  Ｍｕｌｔｉｐｌｅ  Ａｃｃｅｓｓ、ＴＤＭＡ）、周波数分割多元接続（Ｆｒｅｑｕｅｎｃｙ  Ｄｉｖｉｓｉｏｎ  Ｍｕｌｔｉｐｌｅ  Ａｃｃｅｓｓ、ＦＤＭＡ）、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）、シングルキャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）などの様々な無線通信システム又はその他のシステムにも用いることができる。用語「システム」と「ネットワーク」は、常に互換的に使用されている。本明細書で説明される技術は、上述のシステム及び無線技術、並びにその他のシステム及び無線技術に用いることができる。しかしながら、これらの技術は、ＮＲシステムの適用例以外にも適用可能であるが、以下の説明は、例示を目的にＮＲシステムについて説明し、以下の説明の多くにおいてＮＲ用語が使用される。
【００１５】
以下の説明は、例を提供するものであり、特許請求の範囲に記載された範囲、適用性又は構成を限定するものではない。本開示の精神及び範囲から逸脱することなく、検討された要素の機能及び配置を変更してもよい。様々な例では、様々な手順又は構成部品を適宜に省略、置換又は追加してもよい。例えば、説明した方法を、説明した順序と異なる順序で実行してもよく、また、様々なステップを追加、省略するか又は組み合わせてもよい。また、いくつかの例を参照して説明した特徴は、他の例で組み合わせてもよい。
【００１６】
図１を参照されたい。図１は、本開示のいくつかの実施例が適用可能な移動通信システムを示すブロック図である。無線通信システムは、端末１１及びネットワーク装置１２を含む。端末１１は、端末装置又はユーザ端末（Ｕｓｅｒ  Ｅｑｕｉｐｍｅｎｔ、ＵＥ）と呼ばれてもよく、端末１１は、携帯電話、タブレットパーソナルコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡ）、モバイルインターネット装置（Ｍｏｂｉｌｅ  Ｉｎｔｅｒｎｅｔ  Ｄｅｖｉｃｅ、ＭＩＤ）、ウェアラブル装置（Ｗｅａｒａｂｌｅ  Ｄｅｖｉｃｅ）又は車載装置などの端末側装置であってよく、なお、本開示のいくつかの実施例では端末１１の具体的なタイプを限定しない。ネットワーク装置１２は、基地局又はコアネットワークであってもよく、上記基地局は、５Ｇ及びこれ以降のリリースの基地局（例えば、ｇＮＢ、５Ｇ  ＮＲ  ＮＢなど）、又は他の通信システムにおける基地局（例えば、ｅＮＢ、ＷＬＡＮアクセスポイント、又は他のアクセスポイントなど）であってもよく、基地局は、ノードＢ、進化型ノードＢ、アクセスポイント、ベーストランシーバ基地局（Ｂａｓｅ  Ｔｒａｎｓｃｅｉｖｅｒ  Ｓｔａｔｉｏｎ、ＢＴＳ）、無線基地局、無線トランシーバ、基本サービスセット（Ｂａｓｉｃ  Ｓｅｒｖｉｃｅ  Ｓｅｔ、ＢＳＳ）、拡張サービスセット（Ｅｘｔｅｎｄｅｄ  Ｓｅｒｖｉｃｅ  Ｓｅｔ、ＥＳＳ）、ノードＢ、進化型ノードＢ（ｅＮＢ）、ホームノードＢ、ホーム進化型ノードＢ、ＷＬＡＮアクセスポイント、ＷｉＦｉノード、又は上記分野における他の何らかの適切な用語と呼ばれてもよく、同様の技術的効果が達成される限り、上記基地局は特定の技術用語に限定されず、なお、本開示のいくつかの実施例ではＮＲシステムにおける基地局のみを例に説明するが、基地局の具体的なタイプを限定しない。
【００１７】
基地局は、基地局コントローラの制御下で端末１１と通信してもよく、様々な例では、基地局コントローラは、コアネットワーク又はいくつかの基地局の一部であってよい。いくつかの基地局は、バックホールによりコアネットワークと制御情報又はユーザデータを通信することができる。いくつかの例では、これらの基地局のうちのいくつかは、有線又は無線通信リンクであってよいバックホールリンクを介して直接的又は間接的に互いに通信してよい。無線通信システムは、複数のキャリア（異なる周波数の波形信号）上での動作をサポートすることができる。マルチキャリア送信機は、変調された信号をこれらの複数のキャリア上で同時に送信することができる。例えば、各通信リンクは、様々な無線技術に従って変調されたマルチキャリア信号であってよい。各変調された信号は、異なるキャリア上で送信され、制御情報（例えば、参照信号、制御チャネルなど）、オーバヘッド情報、データなどを搬送することができる。
【００１８】
基地局は、１つ以上のアクセスポイントアンテナを介して端末１１と無線通信することができる。各基地局は、それぞれ対応するカバレッジエリアのための通信カバレージを提供することができる。アクセスポイントのカバレッジエリアは、該カバレッジエリアの一部のみとなるセクタに分割されてよい。無線通信システムは、異なるタイプの基地局（例えば、マクロ基地局、マイクロ基地局、又はピコ基地局）を含んでよい。基地局は、セルラー又はＷＬＡＮ無線アクセス技術などの様々な無線技術を利用してもよい。基地局は、同じ若しくは異なるアクセスネットワーク又は事業者展開に関連付けられてよい。異なる基地局のカバレッジエリア（同じ若しくは異なるタイプの基地局のカバレッジエリア、同じ若しくは異なる無線技術を利用するカバレッジエリア、又は同じ若しくは異なるアクセスネットワークに属するカバレッジエリアを含む）が重なってもよい。
【００１９】
無線通信システムにおける通信リンクは、上りリンク（Ｕｐｌｉｎｋ、ＵＬ）伝送（例えば、端末１１からネットワーク装置１２への伝送）をベアラするための上りリンク、又は下りリンク（Ｄｏｗｎｌｉｎｋ、ＤＬ）伝送（例えば、ネットワーク装置１２から端末１１への伝送）をベアラするための下りリンクを含んでもよい。ＵＬ伝送は、逆方向リンク伝送とも呼ばれてもよく、ＤＬ伝送は、順方向リンク伝送とも呼ばれてもよい。
【００２０】
本開示のいくつかの実施例は、端末に適用される物理ランダムアクセスチャネルの電力制御方法を提供し、図２に示すように、以下のステップ２１〜２２を含む。
【００２１】
ステップ２１では、同期放送信号ブロックに関する電力情報に基づいて、物理ランダムアクセスチャネルＰＲＡＣＨのパスロスを計算する。
【００２２】
同期放送信号ブロックは、ネットワーク装置により放送され、同期放送信号ブロックは、プライマリ同期信号（Ｐｒｉｍａｒｙ  Ｓｙｎｃｈｒｏｎｉｚａｔｉｏｎ  Ｓｉｇｎａｌ、ＰＳＳ）及びセカンダリ同期信号（Ｓｅｃｏｎｄａｒｙ  Ｓｙｎｃｈｒｏｎｉｚａｔｉｏｎ  Ｓｉｇｎａｌ、ＳＳＳ）のうちの少なくとも１つを含む同期信号（Ｓｙｎｃｈｒｏｎｉｚａｔｉｏｎ  Ｓｉｇｎａｌ、ＳＳ）と、物理放送チャネル（Ｐｈｙｓｉｃａｌ  Ｂｒｏａｄｃａｓｔ  Ｃｈａｎｎｅｌ、ＰＢＣＨ）と、のうちの少なくとも１つを含む。同期放送信号ブロックが同期信号及び物理放送チャネルを含む場合に、同期信号物理放送チャネルブロック（Ｓｙｎｃｈｒｏｎｉｚａｔｉｏｎ  Ｓｉｇｎａｌ  ａｎｄ  ＰＢＣＨ  Ｂｌｏｃｋ、ＳＳ／ＰＢＣＨ  ｂｌｏｃｋ）とも呼ばれてもよい。
【００２３】
さらに、ここで説明される電力情報は、同期放送信号ブロックに関する送信電力と、同期放送信号ブロックに関する参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）とを含む。信号又はチャネルのパスロスは、送信電力と実際の受信電力との差であり、ステップ２１は、同期放送信号ブロックに関する送信電力と同期放送信号ブロックに関するＲＳＲＰとに基づいてＰＲＡＣＨのパスロスを計算することであってよい。同期放送信号ブロックがネットワーク装置により放送され、端末がどのようなシナリオであっても、同期放送信号ブロックに関する電力情報を受信できるため、ステップ２１の形態を用いてパスロスを計算することは、様々なシナリオに適用することができる。
【００２４】
ステップ２２では、パスロスに基づいてＰＲＡＣＨの伝送電力を計算する。
【００２５】
ＰＲＡＣＨの伝送電力（送信電力とも呼ばれる）は、端末の最大送信電力、ＰＲＡＣＨの目標受信電力及びパスロスに基づいて計算される。好ましくは、ＰＲＡＣＨの電力制御の式は、以下を参照して実現されてもよい：
ＰＰＲＡＣＨ，ｂ，ｆ，ｃ（ｉ）＝ｍｉｎ｛ＰＣＭＡＸ，ｆ，ｃ（ｉ），ＰＰＲＡＣＨ，ｔａｒｇｅｔ，ｆ，ｃ＋ＰＬｂ，ｆ，ｃ｝［ｄＢｍ］
【００２６】
ここで、ＰＰＲＡＣＨ，ｂ，ｆ，ｃ（ｉ）は、ＰＲＡＣＨの送信電力を示し、ｂは、上り部分の帯域幅を示し、ｆは、キャリア中心周波数を示し、ｃは、サービングセルを示し、ｉは、伝送時間を示し、ＰＣＭＡＸ，ｆ，ｃ（ｉ）は、端末の最大送信電力を示し、ＰＰＲＡＣＨ，ｔａｒｇｅｔ，ｆ，ｃは、ＰＲＡＣＨの目標受信電力を示し、ネットワーク装置によって設定され（例えば、上位層により指示され）、ＰＬｂ，ｆ，ｃは、パスロスを示し、端末が計算することにより得られる。
【００２７】
上記ＰＲＡＣＨは、競合ベースであってもよく、非競合ベースであってもよい。ＰＲＡＣＨが非競合的である場合、ステップ２１は、以下の２種類の形態により実現されるものであってもよいが、これらに限定されるものではない。
【００２８】
形態１では、ネットワーク装置により設定された同期放送信号ブロックの送信電力に基づいて、ＰＲＡＣＨのパスロスを計算する。
【００２９】
該形態では、同期放送信号ブロックの送信電力と上位層フィルタリング参照信号受信電力との差をパスロスとして決定する。ここで、参照信号受信電力は、同期放送信号ブロックの実際の受信電力である。同期放送信号ブロックがＳＳ／ＰＢＣＨ  ｂｌｏｃｋであることを例に、形態１は、以下の式を参照して具体的に実現することができる：
ＰＲＳ＝ＰＳＳ／ＰＢＣＨ ｂｌｏｃｋ
ＰＬ＝ＰＲＳ−ｈｉｇｈｅｒ・ｌａｙｅｒ・ｆｉｌｔｅｒｅｄ・ＲＳＲＰ
【００３０】
ＰＲＳは、参照信号の送信電力を示し、ＰＳＳ／ＰＢＣＨ ｂｌｏｃｋは、（ネットワーク装置により上位層を介して端末へ設定される）ＳＳ／ＰＢＣＨ  ｂｌｏｃｋの送信電力を示し、ＰＬは、ＰＲＡＣＨのパスロスを示し、ｈｉｇｈｅｒ・ｌａｙｅｒ・ｆｉｌｔｅｒｅｄ・ＲＳＲＰは、上位層フィルタリング参照信号受信電力を示し、参照信号受信電力とは、同期放送信号ブロックの実際の受信電力を指す。
【００３１】
形態２では、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）と同期放送信号ブロックとの間の電力オフセット量、及び同期放送信号ブロックの送信電力に基づいて、ＰＲＡＣＨのパスロスを計算する。ここで、電力オフセット量が、ネットワーク装置により設定される。
【００３２】
該形態では、同期放送信号ブロックの送信電力と電力オフセット量との和、又は同期放送信号ブロックの送信電力と電力オフセット量との差を、参照信号送信電力として決定し、参照信号送信電力と上位層フィルタリング参照信号受信電力との差をパスロスとして決定する。参照信号受信電力は、同期放送信号ブロックに関連する参照信号（例えば、ＣＳＩ−ＲＳ）の実際の受信電力である。同期放送信号ブロックがＳＳ／ＰＢＣＨ  ｂｌｏｃｋであることを例に、形態１は、以下の式を参照して具体的に実現することができる：
ＰＲＳ＝ＰＳＳ／ＰＢＣＨ ｂｌｏｃｋ＋ｐｏｗｅｒＣｏｎｔｒｏｌＯｆｆｓｅｔＳＳ
ＰＬ＝ＰＲＳ−ｈｉｇｈｅｒ・ｌａｙｅｒ・ｆｉｌｔｅｒｅｄ・ＲＳＲＰ
【００３３】
ＰＲＳは、参照信号の送信電力を示し、ＰＳＳ／ＰＢＣＨ ｂｌｏｃｋは、（ネットワーク装置により上位層を介して端末へ構成される）ＳＳ／ＰＢＣＨ  ｂｌｏｃｋの送信電力を示し、ｐｏｗｅｒＣｏｎｔｒｏｌＯｆｆｓｅｔＳＳは、ＣＳＩ−ＲＳとＳＳ／ＰＢＣＨ  ｂｌｏｃｋとの間の電力オフセット量を示し、ＰＬは、ＰＲＡＣＨのパスロスを示し、ｈｉｇｈｅｒ・ｌａｙｅｒ・ｆｉｌｔｅｒｅｄ・ＲＳＲＰは、上位層フィルタリング参照信号受信電力を示し、参照信号受信電力とは、同期放送信号ブロックの実際の受信電力を指す。
【００３４】
或いは、以下の式を参照して実現される：
ＰＲＳ＝ＰＳＳ／ＰＢＣＨ ｂｌｏｃｋ−ｐｏｗｅｒＣｏｎｔｒｏｌＯｆｆｓｅｔＳＳ
ＰＬ＝ＰＲＳ−ｈｉｇｈｅｒ・ｌａｙｅｒ・ｆｉｌｔｅｒｅｄ・ＲＳＲＰ
【００３５】
ＰＲＳは、参照信号の送信電力を示し、ＰＳＳ／ＰＢＣＨ ｂｌｏｃｋは、（ネットワーク装置により上位層を介して端末へ設定される）ＳＳ／ＰＢＣＨ  ｂｌｏｃｋの送信電力を示し、ｐｏｗｅｒＣｏｎｔｒｏｌＯｆｆｓｅｔＳＳは、ＣＳＩ−ＲＳとＳＳ／ＰＢＣＨ  ｂｌｏｃｋとの間の電力オフセット量を示し、ＰＬは、ＰＲＡＣＨのパスロスを示し、ｈｉｇｈｅｒ・ｌａｙｅｒ・ｆｉｌｔｅｒｅｄ・ＲＳＲＰは、上位層フィルタリング参照信号受信電力を示し、参照信号受信電力とは、同期放送信号ブロックの実際の受信電力を指す。
【００３６】
ＰＲＡＣＨが競合的である場合、ステップ２１は、形態１、すなわちネットワーク装置により設定された同期放送信号ブロックの送信電力に基づいてＰＲＡＣＨのパスロスを計算することにより実現されるものであってもよいが、これに限定されるものではない。該形態の具体的な実施例は、上記非競合シナリオを参照することができるため、ここでは説明を省略する。
【００３７】
以上、本開示のいくつかの実施例に係る物理ランダムアクセスチャネルの電力制御方法の一般的な実現形態について説明したが、以下、本開示のいくつかの実施例では異なるシナリオとともに該方法についてさらに説明する。
【００３８】
シナリオ１、
図３に示すように、本開示のいくつかの実施例に係る方法は、
同期放送信号ブロックに関する１つの電力情報に基づいて、物理ランダムアクセスチャネルＰＲＡＣＨのパスロスを計算するステップ３１と、
パスロスに基づいてＰＲＡＣＨの伝送電力を計算するステップ３２と、を含んでもよい。
【００３９】
シナリオ２、
図４に示すように、本開示のいくつかの実施例に係る方法は、
同期放送信号ブロックに関する少なくとも２つの電力情報に基づいて、物理ランダムアクセスチャネルＰＲＡＣＨのパスロスを計算するステップ４１と、
パスロスに基づいてＰＲＡＣＨの伝送電力を計算するステップ４２と、を含んでもよい。
【００４０】
なお、上記シナリオ１は、形態１又は形態２を用いて実現されるものであってもよいが、これらに限定されるものではなく、シナリオ２は、上記形態１及び形態２のうちの少なくとも１種を用いて実現されるものであってもよいが、これらに限定されるものではない。
【００４１】
以上、形態１の具体的な実現形態について説明したが、以下、本実施例では形態１を用いる異なる適用シナリオについてさらに説明する。ＰＲＡＣＨが非競合ベース又は競合ベースであるシナリオでは、ＰＲＡＣＨが少なくとも１つの同期放送信号ブロックに対応する（ＰＲＡＣＨと同期放送信号ブロックとの対応関係がネットワーク装置によって設定され、例えば、ネットワーク装置は、ＰＲＡＣＨに対応する同期放送信号ブロックの識別ＩＤ又はインデックス番号ｉｎｄｅｘを設定する）場合、又は、ＰＲＡＣＨが少なくとも１つのＣＳＩ−ＲＳに対応し（ＰＲＡＣＨとＣＳＩ−ＲＳとの対応関係がネットワーク装置によって設定され、例えば、ネットワーク装置は、ＰＲＡＣＨに対応するＣＳＩ−ＲＳの識別ＩＤ又はインデックス番号ｉｎｄｅｘを設定する）、かつ少なくとも１つのＣＳＩ−ＲＳには目標ＣＳＩ−ＲＳが存在する場合に、形態１の形態を用いてＰＲＡＣＨのパスロスを計算してもよい。すなわち、ＰＲＡＣＨが少なくとも１つの同期放送信号ブロックに対応する場合、又は、ＰＲＡＣＨが少なくとも１つのＣＳＩ−ＲＳに対応し、かつ少なくとも１つのＣＳＩ−ＲＳには目標ＣＳＩ−ＲＳが存在する場合に、同期放送信号ブロックの送信電力に基づいて、パスロスを計算する。上記目標ＣＳＩ−ＲＳは、同期放送信号ブロックと疑似コロケーション（ｑｕａｓｉ  Ｃｏ−ｌｏｃａｔｉｏｎ、ＱＣＬ）である。なお、ここで説明される疑似コロケーションは、ＱＣＬタイプＤ（ＱＣＬ  Ｔｙｐｅ  Ｄ）のような空間疑似コロケーションを少なくとも含み、またＣＳＩ−ＲＳと同期放送信号ブロックとの疑似コロケーション関係は、ネットワーク装置によって設定される。
【００４２】
シナリオ１では、ＰＲＡＣＨが少なくとも１つの同期放送信号ブロックに対応する場合に、端末は、これらの少なくとも１つの同期放送信号ブロックから１つを選択し、選択された同期放送信号ブロックの送信電力に基づいてＰＲＡＣＨのパスロスを計算する。ＰＲＡＣＨが少なくとも１つのＣＳＩ−ＲＳに対応し、かつ少なくとも１つのＣＳＩ−ＲＳには目標ＣＳＩ−ＲＳが存在する場合に、端末は、目標ＣＳＩ−ＲＳから１つを選択し、選択された目標ＣＳＩ−ＲＳと疑似コロケーションである同期放送信号ブロックの送信電力に基づいてＰＲＡＣＨのパスロスを計算する。ここで説明される選択は、ランダム選択であってもよく、所定のルールに基づき最も早いものを選択するなどの選択であってもよい。
【００４３】
シナリオ２では、ＰＲＡＣＨが少なくとも１つの同期放送信号ブロックに対応する場合に、それぞれ、少なくとも１つの同期放送信号ブロックの送信電力に基づいて、少なくとも１つの第１候補パスロスを計算し、少なくとも１つの第１候補パスロスの平均値、最大値又は最小値をパスロスとして決定する。例えば、ＰＲＡＣＨが５つのＳＳ／ＰＢＣＨ  ｂｌｏｃｋに対応する場合、端末は、それぞれこれらの５つのＳＳ／ＰＢＣＨ  ｂｌｏｃｋの送信電力に基づいて５つの候補パスロスを計算し、かつこれらの５つの候補パスロスの平均値、最大値又は最小値をパスロスとして決定する。また、ＰＲＡＣＨが少なくとも１つのＣＳＩ−ＲＳに対応し、かつ少なくとも１つのＣＳＩ−ＲＳには目標ＣＳＩ−ＲＳが存在する場合に、それぞれ、目標ＣＳＩ−ＲＳと疑似コロケーションである同期放送信号ブロックの送信電力に基づいて、少なくとも１つの第２候補パスロスを計算し、少なくとも１つの第２候補パスロスの平均値、最大値又は最小値をパスロスとして決定する。例えば、ＰＲＡＣＨが５つのＣＳＩ−ＲＳに対応し、これらの５つのＣＳＩ−ＲＳには、３つの目標ＣＳＩ−ＲＳが存在、すなわち、ＳＳ／ＰＢＣＨ  ｂｌｏｃｋと空間疑似コロケーションである３つのＣＳＩ−ＲＳが存在する場合、端末は、それぞれ、これらの３つの目標ＣＳＩ−ＲＳと疑似コロケーションであるＳＳ／ＰＢＣＨ  ｂｌｏｃｋの送信電力に基づいて、３つの候補パスロスを計算し、かつこれらの３つの候補パスロスの平均値、最大値又は最小値をパスロスとして決定する。
【００４４】
以上、異なるシナリオでは、形態１のみを用いてパスロスを計算する場合について説明したが、以下、本実施例では、形態２のみを用いる異なる適用シナリオについてさらに説明する。ＰＲＡＣＨが少なくとも１つのＣＳＩ−ＲＳに対応する（ＰＲＡＣＨと同期放送信号ブロックとの対応関係がネットワーク装置によって設定され、例えば、ネットワーク装置は、ＰＲＡＣＨに対応する同期放送信号ブロックの識別ＩＤ又はインデックス番号ｉｎｄｅｘを設定する）場合、又は、ＰＲＡＣＨが少なくとも１つの同期放送信号ブロックに対応し（ＰＲＡＣＨと同期放送信号ブロックとの対応関係がネットワーク装置によって設定され、例えば、ネットワーク装置は、ＰＲＡＣＨに対応する同期放送信号ブロックの識別ＩＤ又はインデックス番号ｉｎｄｅｘを設定する）、かつ少なくとも１つの同期放送信号ブロックには目標同期放送信号ブロックが存在する場合に、形態２を用いてパスロスを計算する。すなわち、ＰＲＡＣＨが少なくとも１つのＣＳＩ−ＲＳに対応する場合、又は、ＰＲＡＣＨが少なくとも１つの同期放送信号ブロックに対応し、かつ少なくとも１つの同期放送信号ブロックにはＣＳＩ−ＲＳと疑似コロケーションである目標同期放送信号ブロックが存在する場合に、ＣＳＩ−ＲＳと同期放送信号ブロックとの間の電力オフセット量、及び同期放送信号ブロックの送信電力に基づいて、パスロスを計算する。なお、ここで説明される疑似コロケーションは、同様に、ＱＣＬタイプＤ（ＱＣＬ  Ｔｙｐｅ  Ｄ）のような空間疑似コロケーションを少なくとも含み、またＣＳＩ−ＲＳと同期放送信号ブロックとの疑似コロケーション関係は、ネットワーク装置によって設定される。
【００４５】
シナリオ１では、ＰＲＡＣＨが少なくとも１つのＣＳＩ−ＲＳに対応する場合に、端末は、これらの少なくとも１つのＣＳＩ−ＲＳから１つを選択し、かつ、選択されたＣＳＩ−ＲＳと同期放送信号ブロック（例えばＳＳ／ＰＢＣＨ  ｂｌｏｃｋ）との間の電力オフセット量、及び該同期放送信号ブロックの送信電力に基づいて、ＰＲＡＣＨのパスロスを計算する。ＰＲＡＣＨが少なくとも１つの同期放送信号ブロックに対応し、かつ、これらの少なくとも１つの同期放送信号ブロックには目標同期放送信号ブロックが存在する場合、端末は、目標同期放送信号ブロックから１つを選択し、かつ、ＣＳＩ−ＲＳと選択された目標同期放送信号ブロックとの間の電力オフセット量、及び選択された目標同期放送信号ブロックの送信電力に基づいて、ＰＲＡＣＨのパスロスを計算する。
【００４６】
シナリオ２では、ＰＲＡＣＨが少なくとも１つのＣＳＩ−ＲＳに対応する場合に、それぞれ、少なくとも１つのＣＳＩ−ＲＳと同期放送信号ブロックとの間の少なくとも１つの電力オフセット量、及び同期放送信号ブロックの送信電力に基づいて、少なくとも１つの第３候補パスロスを計算し、少なくとも１つの第３候補パスロスの平均値、最大値又は最小値をパスロスとして決定する。例えば、ＰＲＡＣＨが５つのＣＳＩ−ＲＳに対応する場合、端末は、それぞれ、これらの５つのＣＳＩ−ＲＳとＳＳ／ＰＢＣＨ  ｂｌｏｃｋとの間の電力オフセット量、及び該ＳＳ／ＰＢＣＨ  ｂｌｏｃｋの送信電力に基づいて、５つの候補パスロスを計算し、かつこれらの５つの候補パスロスの平均値、最大値又は最小値をパスロスとして決定する。また、ＰＲＡＣＨが少なくとも１つの同期放送信号ブロックに対応し、かつ少なくとも１つの同期放送信号ブロックには目標同期放送信号ブロックが存在する場合に、それぞれ、ＣＳＩ−ＲＳと目標同期放送信号ブロックとの間の電力オフセット量、及び目標同期放送信号ブロックの送信電力に基づいて、少なくとも１つの第４候補パスロスを計算し、少なくとも１つの第４候補パスロスの平均値、最大値又は最小値をパスロスとして決定する。例えば、ＰＲＡＣＨが５つのＳＳ／ＰＢＣＨ  ｂｌｏｃｋに対応し、これらの５つのＳＳ／ＰＢＣＨ  ｂｌｏｃｋには、３つの目標ＳＳ／ＰＢＣＨ  ｂｌｏｃｋが存在し、すなわち、ＣＳＩ−ＲＳと空間疑似コロケーションである３つのＳＳ／ＰＢＣＨ  ｂｌｏｃｋが存在する場合、端末は、それぞれ、ＣＳＩ−ＲＳとこれらの３つの目標ＳＳ／ＰＢＣＨ  ｂｌｏｃｋとの間の電力オフセット量、及びこれらの３つの目標ＳＳ／ＰＢＣＨ  ｂｌｏｃｋの送信電力に基づいて、３つの候補パスロスを計算し、かつこれらの３つの候補パスロスの平均値、最大値又は最小値をパスロスとして決定する。
【００４７】
以上、シナリオ２では、形態１のみを用いるか又は形態２のみを用いて実現される実施例について説明したが、以下、本開示のいくつかの実施例では、シナリオ２とともに、形態１と形態２とを組み合わせて用いることによりパスロスを計算する例についてさらに説明する。
【００４８】
例１、ＰＲＡＣＨが少なくとも１つのＣＳＩ−ＲＳに対応し、かつ少なくとも１つのＣＳＩ−ＲＳには目標ＣＳＩ−ＲＳ（目標ＣＳＩ−ＲＳの数が少なくとも１つのＣＳＩ−ＲＳの総数未満である）が存在する場合に、それぞれ、目標ＣＳＩ−ＲＳと疑似コロケーションである同期放送信号ブロックの送信電力に基づいて、第５候補パスロスを計算し、それぞれ、少なくとも１つのＣＳＩ−ＲＳのうち、目標ＣＳＩ−ＲＳ以外の他のＣＳＩ−ＲＳと同期放送信号ブロックとの間の電力オフセット量、及び同期放送信号ブロックの送信電力に基づいて、第６候補パスロスを計算し、第５候補パスロスと第６パスロスとの平均値、最大値又は最小値をパスロスとして決定する。例えば、ＰＲＡＣＨが５つのＣＳＩ−ＲＳに対応し、これらの５つのＣＳＩ−ＲＳには、３つの目標ＣＳＩ−ＲＳが存在し、すなわち、ＳＳ／ＰＢＣＨ  ｂｌｏｃｋと空間疑似コロケーションである３つのＣＳＩ−ＲＳが存在する場合に、端末は、それぞれ、これらの３つの目標ＣＳＩ−ＲＳと疑似コロケーションであるＳＳ／ＰＢＣＨ  ｂｌｏｃｋの送信電力に基づいて、３つの第５候補パスロスを計算する。さらに、端末はさらに、それぞれ、別の２つのＣＳＩ−ＲＳとＳＳ／ＰＢＣＨ  ｂｌｏｃｋとの間の電力オフセット量、及びＳＳ／ＰＢＣＨ  ｂｌｏｃｋの送信電力に基づいて、２つの第６候補パスロスを計算する。端末は、これらの３つの第５候補パスロスと２つの第６候補パスロスとの平均値、最大値又は最小値をパスロスとして決定する。
【００４９】
例２、ＰＲＡＣＨが少なくとも１つの同期放送信号ブロックに対応し、かつ少なくとも１つの同期放送信号ブロックには目標同期放送信号ブロック（目標同期放送信号ブロックの数が少なくとも１つの同期放送信号ブロックの総数未満である）が存在する場合に、それぞれ、ＣＳＩ−ＲＳと目標同期放送信号ブロックとの間の電力オフセット量、及び目標同期放送信号ブロックの送信電力に基づいて、第７候補パスロスを計算し、かつ少なくとも１つの同期放送信号ブロックのうち、目標同期放送信号ブロック以外の他の同期放送信号ブロックの送信電力に基づいて、第８候補パスロスを計算し、第７候補パスロスと第８候補パスロスとの平均値、最大値又は最小値をパスロスとして決定する。例えば、ＰＲＡＣＨが５つのＳＳ／ＰＢＣＨ  ｂｌｏｃｋに対応し、これらの５つのＳＳ／ＰＢＣＨ  ｂｌｏｃｋには、３つの目標ＳＳ／ＰＢＣＨ  ｂｌｏｃｋが存在し、すなわち、ＣＳＩ−ＲＳと空間疑似コロケーションである３つのＳＳ／ＰＢＣＨ  ｂｌｏｃｋが存在する場合、端末は、それぞれ、ＣＳＩ−ＲＳとこれらの３つの目標ＳＳ／ＰＢＣＨ  ｂｌｏｃｋとの間の電力オフセット量、及びこれらの３つの目標ＳＳ／ＰＢＣＨ  ｂｌｏｃｋの送信電力に基づいて、３つの第７候補パスロスを計算する。かつ他の２つのＳＳ／ＰＢＣＨ  ｂｌｏｃｋの送信電力に基づいて２つの第８候補パスロスを計算する。端末はさらに、これらの３つの第７候補パスロスと２つの第８候補パスロスとの平均値、最大値又は最小値をパスロスとして決定する。
【００５０】
例３、ＰＲＡＣＨが少なくとも１つの同期放送信号ブロック及び少なくとも１つのＣＳＩ−ＲＳに対応する場合（疑似コロケーションである目標同期放送信号ブロックと目標ＣＳＩ−ＲＳが存在するか否かに関わらず）、それぞれ、少なくとも１つの同期放送信号ブロックの送信電力に基づいて、第９候補パスロスを計算し、かつそれぞれ、少なくとも１つのＣＳＩ−ＲＳと同期放送信号ブロックとの間の少なくとも１つの電力オフセット量、及び同期放送信号ブロックの送信電力に基づいて、第１０候補パスロスを計算し、第９候補パスロスと第１０候補パスロスとの平均値、最大値又は最小値をパスロスとして決定する。例えば、ＰＲＡＣＨが５つのＳＳ／ＰＢＣＨ  ｂｌｏｃｋ及び５つのＣＳＩ−ＲＳに対応する場合、端末は、それぞれ、これらの５つのＳＳ／ＰＢＣＨ  ｂｌｏｃｋの送信電力に基づいて、５つの第９候補パスロスを計算し、かつそれぞれ、これらの５つのＣＳＩ−ＲＳとＳＳ／ＰＢＣＨ  ｂｌｏｃｋとの間の電力オフセット量、及び該ＳＳ／ＰＢＣＨ  ｂｌｏｃｋの送信電力に基づいて、５つの第１０候補パスロスを計算する。これらの５つの第９候補パスロスと５つの第１０候補パスロスとの平均値、最大値又は最小値をパスロスとして決定する。
【００５１】
例４、ＰＲＡＣＨが少なくとも１つの同期放送信号ブロック及び少なくとも１つのＣＳＩ−ＲＳに対応し、かつ目標同期放送信号ブロック（目標同期放送信号ブロックの数が少なくとも１つの同期放送信号ブロックの総数未満である）又は目標ＣＳＩ−ＲＳ（目標同期放送信号ブロックの数が少なくとも１つの同期放送信号ブロックの総数未満である）が存在する場合に、以下の形態により実現されるものであってもよいが、これらに限定されるものではない：
【００５２】
ａ、それぞれ同期放送信号ブロックの送信電力に基づいて第１１候補パスロスを計算し、それぞれ、少なくとも１つのＣＳＩ−ＲＳのうち、目標ＣＳＩ−ＲＳ以外の他のＣＳＩ−ＲＳと同期放送信号ブロックとの間の電力オフセット量、及び同期放送信号ブロックの送信電力に基づいて、第１２候補パスロスを計算し、第１１候補パスロスと第１２パスロスとの平均値、最大値又は最小値をパスロスとして決定する。例えば、ＰＲＡＣＨが５つのＳＳ／ＰＢＣＨ  ｂｌｏｃｋ及び５つのＣＳＩ−ＲＳに対応し、これらの５つのＳＳ／ＰＢＣＨ  ｂｌｏｃｋ及び５つのＣＳＩ−ＲＳには疑似コロケーションである３対の目標ＳＳ／ＰＢＣＨ  ｂｌｏｃｋと目標ＣＳＩ−ＲＳが存在する。その場合、端末は、それぞれ、これらの５つのＳＳ／ＰＢＣＨ  ｂｌｏｃｋの送信電力に基づいて、５つの第１１候補パスロスを計算し、かつそれぞれ、これらの５つのＣＳＩ−ＲＳのうち３つの目標ＣＳＩ−ＲＳ以外の２つのＣＳＩ−ＲＳとＳＳ／ＰＢＣＨ  ｂｌｏｃｋとの間の電力オフセット量、及びＳＳ／ＰＢＣＨ  ｂｌｏｃｋの送信電力に基づいて、２つの第１２候補パスロスを計算する。これらの５つの第１１候補パスロスと２つの第１２候補パスロスとの平均値、最大値又は最小値をパスロスとして決定する。
【００５３】
ｂ、それぞれ、少なくとも１つのＣＳＩ−ＲＳと同期放送信号ブロックとの間の電力オフセット量、及び同期放送信号ブロックの送信電力に基づいて、第１３候補パスロスを計算し、目標同期放送信号ブロックの送信電力に基づいて、第１４候補パスロスを計算し、第１３候補パスロスと第１４パスロスとの平均値、最大値又は最小値をパスロスとして決定する。例えば、ＰＲＡＣＨが５つのＳＳ／ＰＢＣＨ  ｂｌｏｃｋ及び５つのＣＳＩ−ＲＳに対応し、これらの５つのＳＳ／ＰＢＣＨ  ｂｌｏｃｋ及び５つのＣＳＩ−ＲＳには疑似コロケーションである３対の目標ＳＳ／ＰＢＣＨ  ｂｌｏｃｋと目標ＣＳＩ−ＲＳが存在する。その場合、端末は、それぞれ、これらの５つのＣＳＩ−ＲＳとＳＳ／ＰＢＣＨ  ｂｌｏｃｋとの間の電力オフセット量、及びこれらの５つのＳＳ／ＰＢＣＨ  ｂｌｏｃｋの送信電力に基づいて、５つの第１３候補パスロスを計算し、かつそれぞれ、これらの５つのＳＳ／ＰＢＣＨ  ｂｌｏｃｋのうち３つの目標ＳＳ／ＰＢＣＨ  ｂｌｏｃｋ以外の２つのＳＳ／ＰＢＣＨ  ｂｌｏｃｋの送信電力に基づいて、２つの第１２候補パスロスを計算する。これらの５つの第１３候補パスロスと２つの第１４候補パスロスとの平均値、最大値又は最小値をパスロスとして決定する。
【００５４】
以上、本開示のいくつかの実施例におけるＰＲＡＣＨの送信電力の異なる計算形態、及び、異なる計算形態が適用可能な異なる適用シナリオについて説明したが、上記様々な実施例は、いずれも、初期アクセスプロセス、リンクリカバリプロセス、ハンドオーバプロセス及びビーム管理プロセスなどの異なる通信サービスプロセスに適用可能である。すなわち、上記ＰＲＡＣＨは、初期アクセスプロセス、リンクリカバリプロセス、ハンドオーバプロセス、ビーム管理プロセスなどのうちの１つに用いられる。好ましい実施例では、上記通信サービスプロセスに対して、ステップ２１の前に、以下のうちの１つをさらに含む。
【００５５】
初期アクセスプロセスにおいて、ネットワーク装置により設定されるか又は予め定義されるアクセスのためのＰＲＡＣＨリソースを取得する。
【００５６】
リンクリカバリプロセスにおいて、ネットワーク装置により設定されるか又は予め定義されるリンクリカバリのためのＰＲＡＣＨリソースを取得する。
【００５７】
ハンドオーバプロセスにおいて、ネットワーク装置により設定されるか又は予め定義されるハンドオーバのためのＰＲＡＣＨリソースを取得する。
【００５８】
ビーム管理プロセスにおいて、ネットワーク装置により設定されるか又は予め定義されるビーム管理のためのＰＲＡＣＨリソースを取得する。
【００５９】
本開示のいくつかの実施例に係るＰＲＡＣＨの電力制御方法において、端末は、同期放送信号ブロック（例えばＳＳ／ＰＢＣＨ  ｂｌｏｃｋ）に関する電力情報に基づいてＰＲＡＣＨのパスロスを計算することにより、ＰＲＡＣＨの送信電力を決定し、異なるシナリオでは、いずれも同期放送信号ブロックを受信することができるため、該形態は、異なるシナリオにおけるパスロスを計算することにより、ＰＲＡＣＨの伝送電力を正確に計算することができ、このようにすれば、ＰＲＡＣＨの正常な送信を保証し、伝送性能を向上させることができる。
【００６０】
以上の実施例は、異なるシナリオにおける物理ランダムアクセスチャネルの電力制御方法について説明したが、以下、図面を参照して該方法に対応する端末についてさらに説明する。
【００６１】
図５に示すように、本開示のいくつかの実施例に係る端末５００は、上記実施例では、同期放送信号ブロックに関する電力情報に基づいて、物理ランダムアクセスチャネルＰＲＡＣＨのパスロスを計算することと、パスロスに基づいてＰＲＡＣＨの伝送電力を計算することとを含む方法の詳細を実現し、かつ同様の効果を達成することができる。該端末５００は、具体的には、
同期放送信号ブロックに関する電力情報に基づいて、物理ランダムアクセスチャネルＰＲＡＣＨのパスロスを計算する第１計算モジュール５１０と、
パスロスに基づいてＰＲＡＣＨの伝送電力を計算する第２計算モジュール５２０との機能モジュールを含む。
【００６２】
ＰＲＡＣＨが非競合的である場合に、第１計算モジュール５１０は、
同期放送信号ブロックの送信電力に基づいて、ＰＲＡＣＨのパスロスを計算する第１計算サブモジュールと、
チャネル状態情報参照信号ＣＳＩ−ＲＳと同期放送信号ブロックとの間の電力オフセット量、及び同期放送信号ブロックの送信電力に基づいて、ＰＲＡＣＨのパスロスを計算する第２計算サブモジュールと、のうちの少なくとも１つを含む。ここで、電力オフセット量が、ネットワーク装置により設定される。
【００６３】
ＰＲＡＣＨが競合的である場合に、第１計算モジュールは、
同期放送信号ブロックの送信電力に基づいて、ＰＲＡＣＨのパスロスを計算する第３計算サブモジュールをさらに含む。
【００６４】
第１計算サブモジュール又は第３計算サブモジュールは、具体的には、
ＰＲＡＣＨが少なくとも１つの同期放送信号ブロックに対応する場合、又は、ＰＲＡＣＨが少なくとも１つのＣＳＩ−ＲＳに対応し、かつ少なくとも１つのＣＳＩ−ＲＳには同期放送信号ブロックと疑似コロケーションである目標ＣＳＩ−ＲＳが存在する場合に、同期放送信号ブロックの送信電力に基づいて、パスロスを計算する。
【００６５】
具体的には、第１計算サブモジュール又は第３計算サブモジュールは、具体的には、
ＰＲＡＣＨが少なくとも１つの同期放送信号ブロックに対応する場合に、それぞれ、少なくとも１つの同期放送信号ブロックの送信電力に基づいて、少なくとも１つの第１候補パスロスを計算し、
少なくとも１つの第１候補パスロスの平均値、最大値又は最小値をパスロスとして決定する。
【００６６】
具体的には、第１計算サブモジュール又は第３計算サブモジュールは、具体的には、
ＰＲＡＣＨが少なくとも１つのＣＳＩ−ＲＳに対応し、かつ少なくとも１つのＣＳＩ−ＲＳには目標ＣＳＩ−ＲＳが存在する場合に、それぞれ、目標ＣＳＩ−ＲＳと疑似コロケーションである同期放送信号ブロックの送信電力に基づいて、少なくとも１つの第２候補パスロスを計算し、
少なくとも１つの第２候補パスロスの平均値、最大値又は最小値をパスロスとして決定する。
【００６７】
第１計算サブモジュール又は第３計算サブモジュールは、具体的には、
同期放送信号ブロックの送信電力と上位層フィルタリング参照信号受信電力との差をパスロスとして決定する。ここで、参照信号受信電力は、同期放送信号ブロックの実際の受信電力である
【００６８】
第２計算サブモジュールは、具体的には、
ＰＲＡＣＨが少なくとも１つのＣＳＩ−ＲＳに対応する場合、又は、ＰＲＡＣＨが少なくとも１つの同期放送信号ブロックに対応し、かつ少なくとも１つの同期放送信号ブロックにはＣＳＩ−ＲＳと疑似コロケーションである目標同期放送信号ブロックが存在する場合に、ＣＳＩ−ＲＳと同期放送信号ブロックとの間の電力オフセット量、及び同期放送信号ブロックの送信電力に基づいて、パスロスを計算する。
【００６９】
具体的には、第２計算サブモジュールは、具体的には、
ＰＲＡＣＨが少なくとも１つのＣＳＩ−ＲＳに対応する場合に、それぞれ、少なくとも１つのＣＳＩ−ＲＳと同期放送信号ブロックとの間の少なくとも１つの電力オフセット量、及び同期放送信号ブロックの送信電力に基づいて、少なくとも１つの第３候補パスロスを計算し、
少なくとも１つの第３候補パスロスの平均値、最大値又は最小値をパスロスとして決定する。
【００７０】
具体的には、第２計算サブモジュールは、具体的には、
ＰＲＡＣＨが少なくとも１つの同期放送信号ブロックに対応し、かつ少なくとも１つの同期放送信号ブロックには目標同期放送信号ブロックが存在する場合に、それぞれ、ＣＳＩ−ＲＳと目標同期放送信号ブロックとの間の電力オフセット量、及び目標同期放送信号ブロックの送信電力に基づいて、少なくとも１つの第４候補パスロスを計算し、
少なくとも１つの第４候補パスロスの平均値、最大値又は最小値をパスロスとして決定する。
【００７１】
第２計算サブモジュールは、具体的には、
同期放送信号ブロックの送信電力と電力オフセット量との和、又は同期放送信号ブロックの送信電力と電力オフセット量との差を参照信号送信電力として決定し、
参照信号送信電力と上位層フィルタリング参照信号受信電力との差をパスロスとして決定する。
【００７２】
同期放送信号ブロックは、プライマリ同期信号及びセカンダリ同期信号のうちの少なくとも１つを含む同期信号と、物理放送チャネルとのうちの少なくとも１つを含む。
【００７３】
ＰＲＡＣＨは、
初期アクセスプロセスと、
リンクリカバリプロセスと、
ハンドオーバプロセスと、
ビーム管理プロセスとのうちの１つに用いられる。
【００７４】
なお、本開示のいくつかの実施例に係る端末は、同期放送信号ブロック（例えば、ＳＳ／ＰＢＣＨ  ｂｌｏｃｋ）に関する電力情報に基づいてＰＲＡＣＨのパスロスを計算することにより、ＰＲＡＣＨの送信電力を決定し、異なるシナリオでは、いずれも同期放送信号ブロックを受信することができるため、該形態は、異なるシナリオにおけるパスロスを計算することにより、ＰＲＡＣＨの伝送電力を正確に計算することができ、このようにすれば、ＰＲＡＣＨの正常な送信を保証し、伝送性能を向上させることができる。
【００７５】
なお、以上の端末の各モジュールの区分は、論理機能の区分に過ぎず、実際に実現する場合、全て又は一部を１つの物理的実体に集積してもよく、物理的に分離してもよい。これらのモジュールは、全て処理素子によりソフトウェアを呼び出す形態で実現されてもよく、全てハードウェアの形態で実現されてもよく、さらに、一部のモジュールは、処理素子によりソフトウェアを呼び出す形態で実現され、一部のモジュールは、ハードウェアの形態で実現されてもよい。例えば、決定モジュールは、別個に設置された処理素子であってもよく、上記装置のあるチップに集積されて実現されてもよく、また、プログラムコードの形態で上記装置のメモリに記憶され、上記装置のある処理素子によって呼び出されて、以上の決定モジュールの機能を実行してもよい。他のモジュールの実現はそれに類似する。また、これらのモジュールは、全て又は一部が集積されてもよく、別個に実現されてもよい。ここでの処理素子は、信号の処理能力を備える集積回路であってよい。実現プロセスにおいて、上記方法の各ステップ又は以上の各モジュールは、プロセッサ素子におけるハードウェアの集積論理回路又はソフトウェア形態のコマンドによって達成することができる。
【００７６】
例えば、以上のこれらのモジュールは、以上の方法を実施する、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、又は１つ以上のデジタルシグナルプロセッサ（ｄｉｇｉｔａｌ  ｓｉｇｎａｌ  ｐｒｏｃｅｓｓｏｒ、ＤＳＰ）、又は１つ以上のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）などの１つ以上の集積回路として設定されてよい。また、以上のいずれかのモジュールが処理素子によりプログラムコードを呼び出す形態で実現されると、該処理素子は、中央処理装置（Ｃｅｎｔｒａｌ  Ｐｒｏｃｅｓｓｉｎｇ  Ｕｎｉｔ、ＣＰＵ）又はプログラムコードを呼び出し可能な他のプロセッサなどの汎用プロセッサであってよい。また、これらのモジュールは、集積されて、システムオンチップ（ｓｙｓｔｅｍ−ｏｎ−ａ−ｃｈｉｐ、ＳＯＣ）の形態で実現することができる。
【００７７】
上記目的をよりよく達成するために、さらに、図６は、本開示の各実施例を実現する端末のハードウェア構成概略図であり、該端末６０は、無線周波数ユニット６１、ネットワークモジュール６２、オーディオ出力ユニット６３、入力ユニット６４、センサ６５、表示ユニット６６、ユーザ入力ユニット６７、インタフェースユニット６８、メモリ６９、プロセッサ６１０、及び電源６１１などの部品を含むが、これらに限定されない。当業者が理解できるように、図６に示す端末の構成は、端末を限定するものではなく、端末は、図示より多いか又は少ない部品を含んでよく、ある部品を組み合わせたり、異なる部品 の配置をしたりしてよい。本開示のいくつかの実施例では、端末は、携帯電話、タブレットパーソナルコンピュータ、ノートパソコン、パームトップコンピュータ、車載端末、ウェアラブル装置及び歩数計などを含むが、これらに限定されない。
【００７８】
無線周波数ユニット６１は、プロセッサ６１０の制御下でデータを送受信し、
プロセッサ６１０は、同期放送信号ブロックに関する電力情報に基づいて、物理ランダムアクセスチャネルＰＲＡＣＨのパスロスを計算し、パスロスに基づいてＰＲＡＣＨの伝送電力を計算する。
【００７９】
本開示のいくつかの実施例に係る端末は、同期放送信号ブロック（例えばＳＳ／ＰＢＣＨ  ｂｌｏｃｋ）に関する電力情報に基づいてＰＲＡＣＨのパスロスを計算することにより、ＰＲＡＣＨの送信電力を決定する。異なるシナリオでは、いずれも同期放送信号ブロックを受信することができるため、該形態は、異なるシナリオにおけるパスロスを計算することにより、ＰＲＡＣＨの伝送電力を正確に計算することができ、このようにすれば、ＰＲＡＣＨの正常な送信を保証し、伝送性能を向上させることができる。
【００８０】
理解すべきこととして、本開示のいくつかの実施例では、無線周波数ユニット６１は、情報の送受信中又は通話中の信号の送受信に用いられてよく、具体的には、基地局からの下りデータを受信した後、プロセッサ６１０に処理させ、また、上りデータを基地局に送信する。一般的に、無線周波数ユニット６１は、アンテナ、少なくとも１つの増幅器、トランシーバ、カプラ、低雑音増幅器、デュプレクサなどを含むが、これらに限定されない。また、無線周波数ユニット６１は、さらに、無線通信システムによりネットワーク及び他の装置と通信することができる。
【００８１】
端末は、ネットワークモジュール６２によりユーザに無線のブロードバンドインターネットアクセスを提供して、例えばユーザによる電子メールの送受信、ウェブページの閲覧及びストリーミングメディアへのアクセスなどを支援する。
【００８２】
オーディオ出力ユニット６３は、無線周波数ユニット６１又はネットワークモジュール６２によって受信されるか、又はメモリ６９に記憶されるオーディオデータをオーディオ信号に変換して音として出力することができる。また、オーディオ出力ユニット６３はさらに、端末６０により実行される特定の機能に関連するオーディオ出力（例えば、呼出音、メッセージ着信音など）を提供してもよい。オーディオ出力ユニット６３は、スピーカ、ブザー及び受話器などを含む。
【００８３】
入力ユニット６４は、オーディオ又はビデオ信号を受信する。入力ユニット６４は、グラフィック処理ユニット（Ｇｒａｐｈｉｃｓ  Ｐｒｏｃｅｓｓｉｎｇ  Ｕｎｉｔ、ＧＰＵ）６４１及びマイクロフォン６４２を含んでよく、グラフィック処理ユニット６４１は、動画撮影モード又は画像撮影モードで撮影装置（例えば、カメラ）によって取得された静止画像又はビデオの画像データを処理する。処理後の画像フレームは、表示ユニット６６に表示することができる。グラフィック処理ユニット６４１によって処理された画像フレームは、メモリ６９（又は他の記憶媒体）に記憶されてもよく、無線周波数ユニット６１又はネットワークモジュール６２によって送信されてもよい。マイクロフォン６４２は、音声を受信し、かつこのような音声をオーディオデータに処理することができる。処理後のオーディオデータは、電話通話モードで無線周波数ユニット６１によって移動通信基地局に送信可能なフォーマットに変換されて出力することができる。
【００８４】
端末６０は、光センサ、動きセンサ及び他のセンサなどの少なくとも１種のセンサ６５をさらに含んでよい。具体的には、光センサは、環境光線の明るさに応じて表示パネル６６１の輝度を調節することができる環境光センサと、端末６０が耳元に移動するときに、表示パネル６６１及び／又はバックライトをオフにすることができる近接センサとを含む。動きセンサの１種として、加速度計センサは、各方向（一般的に３軸）の加速度の大きさを検出でき、静止時に重力の大きさ及び方向を検出でき、端末姿勢（例えば、縦向き／横向きの切替、ゲーム関連、磁力計の姿勢較正）の識別、振動識別に関連する機能（例えば、歩数計、タッピング）などに用いられてよく、センサ６５は、指紋センサ、圧力センサ、虹彩センサ、分子センサ、ジャイロスコープ、気圧計、湿度計、温度計、赤外線センサなどをさらに含んでよく、ここでは説明を省略する。
【００８５】
表示ユニット６６は、ユーザによって入力された情報又はユーザに提供する情報を表示する。表示ユニット６６は、表示パネル６６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル６６１を設定することができる。
【００８６】
ユーザ入力ユニット６７は、入力された数字又は文字情報を受信すると共に、端末のユーザ設定及び機能制御に関連するキー信号入力を生成することができる。具体的には、ユーザ入力ユニット６７は、タッチパネル６７１及び他の入力装置６７２を含む。タッチパネル６７１は、タッチスクリーンとも呼ばれ、その上又はその近くでのユーザのタッチ操作（例えば、指、スタイラスペンなどの任意の適切な物体又は付属品を用いるタッチパネル６７１上又はタッチパネル６７１の近くでのユーザの操作）を収集することができる。タッチパネル６７１は、タッチ検出装置及びタッチコントローラという２つの部分を含んでよい。タッチ検出装置は、ユーザのタッチ方位を検出し、タッチ操作による信号を検出し、信号をタッチコントローラに伝送し、タッチコントローラは、タッチ検出装置からタッチ情報を受信し、タッチポイント座標に変換して、プロセッサ６１０に送信し、プロセッサ６１０から送信されたコマンドを受信し、実行する。また、抵抗式、容量式、赤外線式及び表面弾性波式などの複数のタイプでタッチパネル６７１を実現することができる。タッチパネル６７１に加えて、ユーザ入力ユニット６７は、他の入力装置６７２をさらに含んでよい。具体的には、他の入力装置６７２は、物理キーボード、機能キー（例えば、ボリューム調節キー、スイッチキーなど）、トラックボール、マウス及び操作レバーを含み得るが、これらに限定されず、ここでは説明を省略する。
【００８７】
さらに、タッチパネル６７１は、表示パネル６６１をカバーすることができ、タッチパネル６７１がタッチパネル又はその近くでのタッチ操作を検出した後、プロセッサ６１０に伝送してタッチイベントのタイプを決定し、その後に、プロセッサ６１０は、タッチイベントのタイプに応じて対応する視覚的出力を表示パネル６６１に提供する。図６において、タッチパネル６７１と表示パネル６６１は、２つの独立した部品として端末の入出力機能を実現するが、いくつかの実施例では、タッチパネル６７１と表示パネル６６１を一体化して端末の入出力機能を実現することができ、ここでは具体的に限定しない。
【００８８】
インタフェースユニット６８は、外部装置と端末６０を接続するインタフェースである。例えば、外部装置は、有線又は無線ヘッドセットポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット６８は、外部装置からの入力（例えば、データ情報、電力など）を受信すると共に、受信した入力を端末６０内の１つ以上の素子に伝送するか又は端末６０と外部装置との間でデータを伝送することができる。
【００８９】
メモリ６９は、ソフトウェアプログラム及び様々なデータを記憶することができる。メモリ６９は、主に、オペレーティングシステム、少なくとも１つの機能（例えば、音再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ６９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【００９０】
プロセッサ６１０は、端末の制御センタであり、様々なインタフェース及び回線により端末全体の各部分に接続され、メモリ６９に記憶されたソフトウェアプログラム及び／又はモジュールを動作させるか又は実行し、かつメモリ６９に記憶されたデータを呼び出すことにより、端末の様々な機能及びデータの処理を実行して、端末全体をモニタリングする。プロセッサ６１０は、１つ以上の処理ユニットを含んでよく、好ましくは、プロセッサ６１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ６１０に集積されなくてもよいことを理解されたい。
【００９１】
端末６０は、各部品に給電する電源６１１（例えば、電池）をさらに含んでよく、好ましくは、電源６１１は、電源管理システムによりプロセッサ６１０と論理的に接続されて、電源管理システムにより充電、放電の管理及び消費電力の管理などの機能を実現することができる。
【００９２】
また、端末６０は、いくつかの未図示の機能モジュールを含み、ここでは説明を省略する。
【００９３】
好ましくは、本開示のいくつかの実施例は、プロセッサ６１０と、メモリ６９と、メモリ６９に記憶されて前記プロセッサ６１０上で実行可能で、プロセッサ６１０によって実行されると、上記物理ランダムアクセスチャネルの電力制御方法の実施例の各プロセスを実現し、かつ同様の技術的効果を達成できるコンピュータプログラムとを含む、端末をさらに提供し、重複を避けるために、ここでは説明を省略する。端末は、無線端末であってもよく、有線端末であってもよく、無線端末は、ユーザに音声及び／又は他のサービスデータ接続性を提供する装置、無線接続機能を備えるハンドヘルド装置、又は無線モデムに接続される他の処理装置であってよい。無線端末は、無線アクセスネットワーク（Ｒａｄｉｏ  Ａｃｃｅｓｓ  Ｎｅｔｗｏｒｋ、ＲＡＮ）を介して１つ以上のコアネットワークと通信可能であり、無線端末は、携帯電話（又は、「セルラー」電話）などの携帯端末、携帯端末を有するコンピュータであってよく、例えば、無線アクセスネットワークと言語及び／又はデータを交換する携帯式、ポケット、手持ち式、コンピュータ内蔵又は車載の移動装置であってよい。例えば、個人通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話機、加入者系無線アクセス網（Ｗｉｒｅｌｅｓｓ  Ｌｏｃａｌ  Ｌｏｏｐ、ＷＬＬ）基地局、パーソナルデジタルアシスタント（Ｐｅｒｓｏｎａｌ  Ｄｉｇｉｔａｌ  Ａｓｓｉｓｔａｎｔ、ＰＤＡ）などの装置であってよい。無線端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動ステーション（Ｍｏｂｉｌｅ  Ｓｔａｔｉｏｎ）、移動局（Ｍｏｂｉｌｅ）、遠隔ステーション（Ｒｅｍｏｔｅ  Ｓｔａｔｉｏｎ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ装置（Ｕｓｅｒ  Ｄｅｖｉｃｅ  ｏｒ  Ｕｓｅｒ  Ｅｑｕｉｐｍｅｎｔ）と呼ばれてもよく、ここでは限定しない。
【００９４】
本開示のいくつかの実施例に係るコンピュータ可読記憶媒体には、プロセッサによって実行されると、上記物理ランダムアクセスチャネルの電力制御方法の実施例の各プロセスを実現し、かつ同様の技術的効果を達成できるコンピュータプログラムが記憶されており、重複を避けるために、ここでは説明を省略する。前記コンピュータ可読記憶媒体は、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどであってよい。
【００９５】
当業者であれば理解できるように、本明細書で開示される実施例とともに説明された各例のユニット及びアルゴリズムステップは、電子ハードウェア、又はコンピュータソフトウェアと電子ハードウェアとの組み合わせにより実現することができる。これらの機能がハードウェアの形態で実行されるか又はソフトウェアの形態で実行されるかは、技術手段の特定の適用及び設計上の制約条件に依存する。当業者であれば、各特定の適用に対して異なる方法で説明された機能を実現してよいが、このような実現は本開示の範囲を超えると考えられるべきではない。
【００９６】
当業者であれば明確に理解できるように、便利かつ簡潔で説明するために、上記システム、装置及びユニットの具体的な動作プロセスについては、前述の方法の実施例における対応するプロセスを参照することができ、ここでは説明を省略する。
【００９７】
本願に係る実施例では、開示される装置及び方法は他の形態によって実現することができると理解されたい。例えば、上述した装置の実施例は、例示的なものに過ぎず、例えば、上記ユニットの区分は、論理機能の区分に過ぎず、実際に実現する場合に他の区分方式を有してもよく、例えば、複数のユニット又は構成部品は組み合わせられてもよいか又は別のシステムに集積されてもよく、いくつかの特徴は無視されてもよいか又は実行されなくてもよい。また、示されるか又は議論される相互結合、直接結合又は通信接続は、いくつかのインタフェースを使用して実現でき、装置又はユニット間の間接結合又は通信接続は、電気的、機械的、又は他の形態であってもよい。
【００９８】
分離部品として説明した上記ユニットは、物理的に分離しても分離しなくてもよく、ユニットとして表示される部品は、物理ユニットであっても物理ユニットでなくてもよく、すなわち、１つの箇所に位置してもよく、複数のネットワークユニットに分布してもよい。実際の必要に応じて、それらのうちの一部又は全てのユニットを選択して本実施例の技術手段の目的を達成してよい。
【００９９】
また、本開示の各実施例における各機能ユニットは、１つの処理ユニットに集積されてよく、各ユニットは、別個に物理的に存在してよく、さらに２つ以上のユニットは、１つのユニットに集積されてよい。
【０１００】
前記機能は、ソフトウェア機能ユニットの形態で実現され、かつ独立した製品として販売又は使用されれば、コンピュータ可読記憶媒体に記憶されてもよい。このような理解に基づいて、本開示の技術手段の本質的に又は関連技術に貢献する部分又は該技術手段の一部は、ソフトウェア製品の形態で実現されてもよく、該コンピュータソフトウェア製品は、コンピュータ装置（パーソナルコンピュータ、サーバ、又はネットワーク装置などであってよい）に本開示の各実施例に記載の方法の全て又は一部のステップを実行させるためのいくつかのコマンドを含み、記憶媒体に記憶されている。前述の記憶媒体は、Ｕディスク、リムーバブルハードディスク、ＲＯＭ、ＲＡＭ、磁気ディスク又は光ディスクなどの、プログラムコードを記憶できる様々な媒体を含む。
【０１０１】
なお、本開示の装置及び方法において、明らかに、各部品又は各ステップは、分解及び／又は再組み合わせが可能である。これらの分解及び／又は再組み合わせは、本開示の等価な方案と見なすべきである。そして、上記一連の処理を実行するステップは、自然的に説明の順に時間順に実行することができるが、必ずしも時間順に実行される必要がなく、いくつかのステップが並列的に又は互いに独立して実行することもできる。当業者であれば理解できるように、本開示の方法及び装置の全て又は任意のステップや部品は、任意の計算装置（プロセッサ、記憶媒体などを含む）又は計算装置のネットワークにおいて、ハードウェア、ファームウェア、ソフトウェア又はそれらの組み合わせによって実現することができ、これは、当業者が本開示の説明を読んだ上で彼らの基本的なプログラミングスキルを利用して実現できるものである。
【０１０２】
したがって、本開示の目的は、任意の計算装置上で、１つのプログラムを実行したり、１セットのプログラムを実行したりすることにより達成することができる。前記計算装置は、公知の汎用装置であってよい。したがって、本開示の目的は、さらに、上記方法又は装置を実現するプログラムコードを含むプログラム製品のみを提供することにより達成することができる。すなわち、このようなプログラム製品も本開示を構成するものであり、かつこのようなプログラム製品が記憶されている記憶媒体も本開示を構成するものである。明らかに、上記記憶媒体は、任意の公知の記憶媒体又は将来に開発される任意の記憶媒体であってよい。なお、本開示の装置及び方法において、明らかに、各部品又は各ステップは、分解及び／又は再組み合わせが可能である。これらの分解及び／又は再組み合わせは、本開示の等価な方案と見なすべきである。そして、上記一連の処理を実行するステップは、自然的に説明の順に時間順に実行することができるが、必ずしも時間順に実行される必要がない。いくつかのステップは、並列的に又は互いに独立して実行することもできる。
【０１０３】
以上の記載は、本開示の好ましい実施形態であり、なお、当業者であれば、本開示の前記原理から逸脱しない前提でいくつかの改良と修飾を行ってもよく、これらの改良と修飾も本開示の保護範囲に含まれる。
【図１】
2021530175.tif 000003
【図２】
2021530175.tif 000004
【図３】
2021530175.tif 000005
【図４】
2021530175.tif 000006
【図５】
2021530175.tif 000007
【図６】
2021530175.tif 000008
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
端末に適用される物理ランダムアクセスチャネルの電力制御方法であって、
同期放送信号ブロックに関する電力情報に基づいて、物理ランダムアクセスチャネル（ＰＲＡＣＨ）のパスロスを計算することと、
前記パスロスに基づいて、物理ランダムアクセスチャネル（ＰＲＡＣＨ）の伝送電力を計算することと、を含む、物理ランダムアクセスチャネルの電力制御方法。
【請求項２】
同期放送信号ブロックに関する電力情報に基づいて、物理ランダムアクセスチャネル（ＰＲＡＣＨ）のパスロスを計算することは、
ネットワーク装置により設定された前記同期放送信号ブロックの送信電力に基づいて、前記物理ランダムアクセスチャネル（ＰＲＡＣＨ）の前記パスロスを計算することと、
チャネル状態情報参照信号（ＣＳＩ−ＲＳ）と前記同期放送信号ブロックとの間の電力オフセット量、及び前記同期放送信号ブロックの送信電力に基づいて、前記物理ランダムアクセスチャネル（ＰＲＡＣＨ）の前記パスロスを計算することと、のうちの少なくとも１つを含み、電力オフセット量は、ネットワーク装置により設定される請求項１に記載の物理ランダムアクセスチャネルの電力制御方法。
【請求項３】
前記同期放送信号ブロックの送信電力に基づいて、前記物理ランダムアクセスチャネル（ＰＲＡＣＨ）の前記パスロスを計算することは、
前記物理ランダムアクセスチャネル（ＰＲＡＣＨ）が少なくとも１つの同期放送信号ブロックに対応する場合、又は、前記物理ランダムアクセスチャネル（ＰＲＡＣＨ）が少なくとも１つのチャネル状態情報参照信号（ＣＳＩ−ＲＳ）に対応し、かつ前記少なくとも１つのチャネル状態情報参照信号（ＣＳＩ−ＲＳ）には前記同期放送信号ブロックと疑似コロケーションである目標チャネル状態情報参照信号（ＣＳＩ−ＲＳ）が存在する場合に、前記同期放送信号ブロックの送信電力に基づいて、前記パスロスを計算することを含む、請求項２に記載の物理ランダムアクセスチャネルの電力制御方法。
【請求項４】
前記同期放送信号ブロックの送信電力に基づいて、前記パスロスを計算することは、
前記物理ランダムアクセスチャネル（ＰＲＡＣＨ）が少なくとも１つの同期放送信号ブロックに対応する場合に、それぞれ、前記少なくとも１つの同期放送信号ブロックの送信電力に基づいて、少なくとも１つの第１候補パスロスを計算することと、
前記少なくとも１つの第１候補パスロスの平均値、最大値又は最小値を前記パスロスとして決定することと、を含む、請求項３に記載の物理ランダムアクセスチャネルの電力制御方法。
【請求項５】
前記同期放送信号ブロックの送信電力に基づいて、前記パスロスを計算することは、
前記物理ランダムアクセスチャネル（ＰＲＡＣＨ）が少なくとも１つのチャネル状態情報参照信号（ＣＳＩ−ＲＳ）に対応し、かつ前記少なくとも１つのチャネル状態情報参照信号（ＣＳＩ−ＲＳ）には前記目標チャネル状態情報参照信号（ＣＳＩ−ＲＳ）が存在する場合に、それぞれ、前記目標チャネル状態情報参照信号（ＣＳＩ−ＲＳ）と疑似コロケーションである同期放送信号ブロックの送信電力に基づいて、少なくとも１つの第２候補パスロスを計算することと、
前記少なくとも１つの第２候補パスロスの平均値、最大値又は最小値を前記パスロスとして決定することと、を含む、請求項３に記載の物理ランダムアクセスチャネルの電力制御方法。
【請求項６】
前記同期放送信号ブロックの送信電力に基づいて、前記物理ランダムアクセスチャネル（ＰＲＡＣＨ）の前記パスロスを計算することは、
前記同期放送信号ブロックの送信電力と上位層フィルタリング参照信号受信電力との差を前記パスロスとして決定することを含み、ここで、前記上位層フィルタリング参照信号受信電力は、前記同期放送信号ブロックの実際の受信電力である請求項２〜５のいずれかの一つに記載の物理ランダムアクセスチャネルの電力制御方法。
【請求項７】
チャネル状態情報参照信号（ＣＳＩ−ＲＳ）と前記同期放送信号ブロックとの間の電力オフセット量、及び前記同期放送信号ブロックの送信電力に基づいて、前記物理ランダムアクセスチャネル（ＰＲＡＣＨ）の前記パスロスを計算することは、
前記物理ランダムアクセスチャネル（ＰＲＡＣＨ）が少なくとも１つのチャネル状態情報参照信号（ＣＳＩ−ＲＳ）に対応する場合、又は、前記物理ランダムアクセスチャネル（ＰＲＡＣＨ）が少なくとも１つの同期放送信号ブロックに対応し、かつ前記少なくとも１つの同期放送信号ブロックには目標同期放送信号ブロックが存在する場合に、前記チャネル状態情報参照信号（ＣＳＩ−ＲＳ）と前記同期放送信号ブロックとの間の電力オフセット量、及び前記同期放送信号ブロックの送信電力に基づいて、前記パスロスを計算することを含む、請求項２に記載の物理ランダムアクセスチャネルの電力制御方法。
【請求項８】
前記チャネル状態情報参照信号（ＣＳＩ−ＲＳ）と前記同期放送信号ブロックとの間の電力オフセット量、及び前記同期放送信号ブロックの送信電力に基づいて、前記パスロスを計算することは、
前記物理ランダムアクセスチャネル（ＰＲＡＣＨ）が少なくとも１つのチャネル状態情報参照信号（ＣＳＩ−ＲＳ）に対応する場合に、それぞれ、前記少なくとも１つのチャネル状態情報参照信号（ＣＳＩ−ＲＳ）と前記同期放送信号ブロックとの間の少なくとも１つの電力オフセット量、及び前記同期放送信号ブロックの送信電力に基づいて、少なくとも１つの第３候補パスロスを計算することと、
前記少なくとも１つの第３候補パスロスの平均値、最大値又は最小値を前記パスロスとして決定することと、を含む、請求項７に記載の物理ランダムアクセスチャネルの電力制御方法。
【請求項９】
前記チャネル状態情報参照信号（ＣＳＩ−ＲＳ）と前記同期放送信号ブロックとの間の電力オフセット量、及び前記同期放送信号ブロックの送信電力に基づいて、前記パスロスを計算することは、
前記物理ランダムアクセスチャネル（ＰＲＡＣＨ）が少なくとも１つの同期放送信号ブロックに対応し、かつ前記少なくとも１つの同期放送信号ブロックには前記目標同期放送信号ブロックが存在する場合に、それぞれ、前記チャネル状態情報参照信号（ＣＳＩ−ＲＳ）と前記目標同期放送信号ブロックとの間の電力オフセット量、及び前記目標同期放送信号ブロックの送信電力に基づいて、少なくとも１つの第４候補パスロスを計算することと、
前記少なくとも１つの第４候補パスロスの平均値、最大値又は最小値を前記パスロスとして決定することと、を含む、請求項７に記載の物理ランダムアクセスチャネルの電力制御方法。
【請求項１０】
前記同期放送信号ブロックとチャネル状態情報参照信号（ＣＳＩ−ＲＳ）との間の電力オフセット量、及び前記同期放送信号ブロックの送信電力に基づいて、前記物理ランダムアクセスチャネル（ＰＲＡＣＨ）の前記パスロスを計算することは、
前記同期放送信号ブロックの送信電力と前記電力オフセット量との和、又は前記同期放送信号ブロックの送信電力と前記電力オフセット量との差を参照信号送信電力として決定することと、
前記参照信号送信電力と上位層フィルタリング参照信号受信電力との差を前記パスロスとして決定することと、を含む、請求項２、７〜９のいずれか一つに記載の物理ランダムアクセスチャネルの電力制御方法。
【請求項１１】
前記物理ランダムアクセスチャネル（ＰＲＡＣＨ）は、
初期アクセスプロセスと、
リンクリカバリプロセスと、
ハンドオーバプロセスと、
ビーム管理プロセスとのうちの１つに用いられる、請求項１〜３のいずれか１項に記載の物理ランダムアクセスチャネルの電力制御方法。
【請求項１２】
同期放送信号ブロックに関する電力情報に基づいて、物理ランダムアクセスチャネル（ＰＲＡＣＨ）のパスロスを計算する第１計算モジュールと、
前記パスロスに基づいて物理ランダムアクセスチャネル（ＰＲＡＣＨ）の伝送電力を計算する第２計算モジュールと、を含む、端末。
【請求項１３】
前記物理ランダムアクセスチャネル（ＰＲＡＣＨ）が非競合的である場合、前記第１計算モジュールは、
ネットワーク装置により設定された前記同期放送信号ブロックの送信電力に基づいて、前記物理ランダムアクセスチャネル（ＰＲＡＣＨ）の前記パスロスを計算する第１計算サブモジュールと、
チャネル状態情報参照信号（ＣＳＩ−ＲＳ）と前記同期放送信号ブロックとの間の電力オフセット量、及び前記同期放送信号ブロックの送信電力に基づいて、前記物理ランダムアクセスチャネル（ＰＲＡＣＨ）の前記パスロスを計算する第２計算サブモジュールと、のうちの少なくとも１つを含み、前記電力オフセット量が、ネットワーク装置により設定される請求項１２に記載の端末。
【請求項１４】
第１計算サブモジュールは、具体的には、
前記物理ランダムアクセスチャネル（ＰＲＡＣＨ）が少なくとも１つの同期放送信号ブロックに対応する場合、又は、前記物理ランダムアクセスチャネル（ＰＲＡＣＨ）が少なくとも１つのチャネル状態情報参照信号（ＣＳＩ−ＲＳ）に対応し、かつ前記少なくとも１つのチャネル状態情報参照信号（ＣＳＩ−ＲＳ）には前記同期放送信号ブロックと疑似コロケーションである目標チャネル状態情報参照信号（ＣＳＩ−ＲＳ）が存在する場合に、前記同期放送信号ブロックの送信電力に基づいて、前記パスロスを計算する、請求項１３に記載の端末。
【請求項１５】
第２計算サブモジュールは、具体的には、
前記物理ランダムアクセスチャネル（ＰＲＡＣＨ）が少なくとも１つのチャネル状態情報参照信号（ＣＳＩ−ＲＳ）に対応する場合、又は、前記物理ランダムアクセスチャネル（ＰＲＡＣＨ）が少なくとも１つの同期放送信号ブロックに対応し、かつ前記少なくとも１つの同期放送信号ブロックには前記チャネル状態情報参照信号（ＣＳＩ−ＲＳ）と疑似コロケーションである目標同期放送信号ブロックが存在する場合に、前記チャネル状態情報参照信号（ＣＳＩ−ＲＳ）と前記同期放送信号ブロックとの間の電力オフセット量、及び前記同期放送信号ブロックの送信電力に基づいて、前記パスロスを計算する、請求項１３に記載の端末。
【国際調査報告】
2021530175.tif 000009
2021530175.tif 000010
2021530175.tif 000011
2021530175.tif 000012